(57)【特許請求の範囲】
【請求項１】
物体側から、正の第１レンズからなる第１群、正の第２レンズと負の第３レンズとが接合されて負の屈折力を有する第２群、負の第４レンズからなる第３群、正の第５レンズからなる第４群、正の第６レンズと負の第７レンズとが接合されて正の屈折力を有する第５群が順に配置され、前記第２群と第３群との間に絞りを有する、５群７枚構成の読取レンズであって、下記の条件式（１）及び（２）を満足することを特徴とする読取レンズ。
（１）１．０＜ｆ５／ｆ＜２．０
（２）０．０９＜（ｒ７−ｒ８）／ｆ＜０．１５
ただし、
ｆ５：第５群のｅ線の焦点距離
ｆ：全系のｅ線の合成焦点距離
ｒ７：第４レンズ第１面の曲率半径
ｒ８：第４レンズ第２面の曲率半径
である。
【請求項２】
正レンズの少なくとも１枚が、下記の条件式（３）及び（４）を満足するガラス材料からなることを特徴とする請求項１に記載の読取レンズ。
（３）７５＜α１＜１３５
（４）−６．５＜β１＜０．５
ただし、
α１：−３０℃〜＋７０℃での平均線膨張係数（単位は×１０−７／℃）
β１：＋２０℃〜＋４０℃での平均屈折率温度係数（単位は×１０−６／℃）
である。
【請求項３】
前記正レンズの少なくとも１枚が、正の第２レンズであることを特徴とする請求項２に記載の読取レンズ。
【請求項４】
前記第１レンズが物体側に凸面を向けて配置された凸メニスカスレンズ、前記第２レンズの第１面が物体側に凸面を有する正レンズ、前記第３レンズの第２面が物体側に凸面を有する負レンズ、前記第４レンズが物体側に凹面を向けて配置された凹メニスカスレンズ、前記第５レンズが像側に凸面を向けて配置された凸メニスカスレンズ、前記第６レンズの第２面が像側に凸面を有する正レンズ、前記第７レンズの第１面が像側に凸面を有する負レンズであることを特徴とする請求項１から３のいずれかに記載の読取レンズ。
【請求項５】
原稿を照明する照明系と、前記照明系で照明された原稿の反射光を縮小結像させる結像レンズと、該結像レンズで結像された原稿像を光電変換するラインセンサとからなり、前記結像レンズとして、請求項１から４のいずれかに記載の読取レンズを用いたことを特徴とする画像読取装置。
【請求項６】
画像信号に対応する画像を書込んで画像を形成する画像形成装置であって、原稿画像を読取って画像信号化する手段として請求項５に記載の画像読取装置を有することを特徴とする画像形成装置。
【発明の詳細な説明】
【技術分野】
【０００１】
本発明は読取レンズ、及び該読取レンズを備える装置に関し、特に、ファクシミリやデジタル複写機の原稿読取部や各種のイメージスキャナに利用される読取レンズ、該読取レンズを備える画像読取装置、画像形成装置に関する。
【背景技術】
【０００２】
ファクシミリやデジタル複写機の原稿読取部やイメージスキャナは、読み取るべき画像情報を読取用レンズで縮小してＣＣＤ（Charge  Coupled  Device）のような固体撮像素子上に結像させて画像情報を信号化する。また、最近のカラー用のＣＣＤは、３ラインＣＣＤを多く採用している。これは、赤、緑、青のフィルタを持った受光素子が１チップに３列に配列されており、この受光面にカラー画像を結像させることにより３原色に色分解し、カラー画像情報を信号化している。
【０００３】
このような読取用レンズでは、カラー原稿を良好に読み取るために受光面に赤、緑、青の各色の結像位置を光軸方向に合致させる必要があり、このため各色について良好に色収差補正をしなければならない。このような色収差補正は、極めて精度よく補正されている必要がある。更に、このような読取用レンズでは、一般に像面において高空間周波数領域での高いコントラストが要求されると共に、開口効率が画角周辺部まで１００％近くあることが要求されている。
【０００４】
従来の読取レンズとして、例えば、物体側からＰＮＮＰＰの屈折力配分を持つ５群７枚構成のレンズが知られている（特許文献１及び２参照）。特許文献１には、条件式を定めることで、Ｆナンバ１．８にて半画角３１．５°に亘り良好に収差が抑えられる読取レンズが記載されている。また、特許文献２に記載の読取レンズは、Ｆナンバが４．０程度と大口径である。
【０００５】
一方、近年の省資源化の観点から、レンズガラスのリサイクルが求められており、レンズガラスのリサイクル化のためにはレンズ材料に有害物質が含まれないことが要求される。
【発明の概要】
【発明が解決しようとする課題】
【０００６】
しかしながら、特許文献１に記載の読取レンズでは、合成焦点距離が１．０に規格化されているため、例えば、合成焦点距離６８ｍｍ、Ｆナンバ４．２、縮率０．２３、半画角２３°程度のレンズ系に換算して評価すると、歪曲収差が非常に大きく、６００ｄｐｉ相当の高空間周波数領域で高いコントラストを得られない。つまり、文章や画像を忠実に再現できないため、読取レンズとしての性能を十分に満足できないという問題がある。
【０００７】
また、特許文献２に記載の読取レンズでは、Ｆナンバが４．０程度であるが、半画角が２０°程度となっており、画像読取装置の小型化の要望に対し十分に満足できないという問題がある。さらに、非球面を採用しているのでコストアップの原因となる。
【０００８】
よって、本発明は上記従来技術の問題点に鑑み、半画角が２３°程度と広画角でありながら、諸収差が良好に補正され、かつＦナンバが４．２程度と明るく、さらに開口効率が周辺部まで１００％に近く、高空間周波数領域で高いコントラストを有し、フルカラー読取にも対応可能な、５群７枚構成の球面のみによる読取レンズを提供することを目的とする。
【０００９】
さらに、全てのレンズを化学的に安定で鉛や砒素等の有害物質を含まない光学ガラスで構成することにより、材料のリサイクル化が可能であり、加工時の廃液による水質汚染の無い、地球環境を考慮した小型で低コストな読取用レンズ、該読取レンズを用いた装置を提供することを目的とする。
【課題を解決するための手段】
【００１０】
上記課題を解決するために、本発明に係る読取レンズ、画像読取装置及び画像形成装置は、以下のとおりである。
〔１〕  物体側から、正の第１レンズからなる第１群、正の第２レンズと負の第３レンズとが接合されて負の屈折力を有する第２群、負の第４レンズからなる第３群、正の第５レンズからなる第４群、正の第６レンズと負の第７レンズとが接合されて正の屈折力を有する第５群が順に配置され、前記第２群と第３群との間に絞りを有する、５群７枚構成の読取レンズであって、下記の条件式（１）及び（２）を満足することを特徴とする読取レンズである。
（１）１．０＜ｆ５／ｆ＜２．０
（２）０．０９＜（ｒ７−ｒ８）／ｆ＜０．１５
ただし、
ｆ５：第５群のｅ線の焦点距離
ｆ：全系のｅ線の合成焦点距離
ｒ７：第４レンズ第１面の曲率半径
ｒ８：第４レンズ第２面の曲率半径
である。
〔２〕  正レンズの少なくとも１枚が、下記の条件式（３）及び（４）を満足するガラス材料からなることを特徴とする前記〔１〕に記載の読取レンズである。
（３）７５＜α１＜１３５
（４）−６．５＜β１＜０．５
ただし、
α１：−３０℃〜＋７０℃での平均線膨張係数（単位は×１０−７／℃）
β１：＋２０℃〜＋４０℃での平均屈折率温度係数（単位は×１０−６／℃）
である。
〔３〕  前記正レンズの少なくとも１枚が、正の第２レンズであることを特徴とする前記〔２〕に記載の読取レンズである。
〔４〕  前記第１レンズが物体側に凸面を向けて配置された凸メニスカスレンズ、前記第２レンズの第１面が物体側に凸面を有する正レンズ、前記第３レンズの第２面が物体側に凸面を有する負レンズ、前記第４レンズが物体側に凹面を向けて配置された凹メニスカスレンズ、前記第５レンズが像側に凸面を向けて配置された凸メニスカスレンズ、前記第６レンズの第２面が像側に凸面を有する正レンズ、前記第７レンズの第１面が像側に凸面を有する負レンズであることを特徴とする前記〔１〕から〔３〕のいずれかに記載の読取レンズである。
〔５〕  原稿を照明する照明系と、前記照明系で照明された原稿の反射光を縮小結像させる結像レンズと、該結像レンズで結像された原稿像を光電変換するラインセンサとからなり、前記結像レンズとして、前記〔１〕から〔４〕のいずれかに記載の読取レンズを用いたことを特徴とする画像読取装置である。
〔６〕  画像信号に対応する画像を書込んで画像を形成する画像形成装置であって、原稿画像を読取って画像信号化する手段として前記〔５〕に記載の画像読取装置を有することを特徴とする画像形成装置である。
【発明の効果】
【００１１】
本発明の効果として、請求項１の発明によれば、物体側から、正の第１レンズからなる第１群、正の第２レンズと負の第３レンズとが接合されて負の屈折力を有する第２群、負の第４レンズからなる第３群、正の第５レンズからなる第４群、正の第６レンズと負の第７レンズとが接合されて正の屈折力を有する第５群が順に配置され、前記第２群と第３群との間に絞りを有する、５群７枚構成の読取レンズであって、条件式（１）１．０＜ｆ５／ｆ＜２．０、及び（２）０．０９＜（ｒ７−ｒ８）／ｆ＜０．１５（ただし、ｆ５は第５群のｅ線の焦点距離、ｆは全系のｅ線の合成焦点距離、ｒ７は第４レンズ第１面の曲率半径、ｒ８は第４レンズ第２面の曲率半径を表わす。）を満足する読取レンズであるため、半画角が２３°程度と広画角でありながら、良好な結像性能が得られ、更にその結像性能を保つことができる。具体的には、諸収差が良好に補正され、かつＦナンバが４．２程度と明るく、さらに開口効率が周辺部まで１００％に近く、高空間周波数領域で高いコントラストを有する読取レンズが提供される。
請求項２の発明によれば、請求項１の読取レンズにおいて、正レンズの少なくとも１枚が、条件式（３）７５＜α１＜１３５、及び（４）−６．５＜β１＜０．５（ただし、α１は、−３０℃〜＋７０℃での平均線膨張係数（単位は×１０−７／℃）、β１は、＋２０℃〜＋４０℃での平均屈折率温度係数（単位は×１０−６／℃）である）を満足するガラス材料からなるため、温度変化で熱膨張し移動する撮像面に対して、それをキャンセルする方向に像距離の伸び量を調整でき、温度変化に対して常に安定な像を撮像面上で得ることができる。
請求項３の発明によれば、請求項２の読取レンズにおいて、前記正レンズの少なくとも１枚が、正の第２レンズであるため、正レンズの中で一番焦点距離の長い第２レンズに適用することで、温度変化に対する像距離の伸び量を大きくすることができ、温度変化に対して常に安定な像を撮像面上で得ることができる。
請求項４の発明によれば、請求項１から３のいずれかに記載の読取レンズにおいて、前記第１レンズが物体側に凸面を向けて配置された凸メニスカスレンズ、前記第２レンズの第１面が物体側に凸面を有する正レンズ、前記第３レンズの第２面が物体側に凸面を有する負レンズ、前記第４レンズが物体側に凹面を向けて配置された凹メニスカスレンズ、前記第５レンズが像側に凸面を向けて配置された凸メニスカスレンズ、前記第６レンズの第２面が像側に凸面を有する正レンズ、前記第７レンズの第１面が像側に凸面を有する負レンズであるため、高精度でコンパクトなレンズとすることができる。
請求項５の発明によれば、原稿を照明する照明系と、前記照明系で照明された原稿の反射光を縮小結像させる結像レンズと、該結像レンズで結像された原稿像を光電変換するラインセンサとからなり、前記結像レンズとして、請求項１から４のいずれかに記載の読取レンズを用いたため、原稿情報を良好に読み取れるとともに、半画角が２３°程度と広画角であるため、原稿面からラインセンサまでの所謂共役長を非常に短く設定することが可能となり、非常にコンパクトで低コストな画像読取装置を提供することができる。
請求項６の発明によれば、画像信号に対応する画像を書込んで画像を形成する画像形成装置であって、原稿画像を読取って画像信号化する手段として請求項５に記載の画像読取装置を有するため、良好な品質の読取画像を基に画像を形成することができるため、高画質な画像形成が可能で低コストな画像形成装置を提供することができる。
【図面の簡単な説明】
【００１２】
【図１】本発明の一実施の形態に係る読取レンズの構成を示す概略断面図である。
【図２】第１の実施態様に係るレンズ構成を示す概略断面図である。
【図３】図２のレンズ構成における球面収差、非点収差、歪曲収差、及びコマ収差を示す収差曲線図である。
【図４】第２の実施態様に係るレンズ構成を示す概略断面図である。
【図５】図４のレンズ構成における球面収差、非点収差、歪曲収差、及びコマ収差を示す収差曲線図である。
【図６】第３の実施態様に係るレンズ構成を示す概略断面図である。
【図７】図６のレンズ構成における球面収差、非点収差、歪曲収差、及びコマ収差を示す収差曲線図である。
【図８】本発明の画像読取装置の一例の要部を示す概略構成図である。
【図９】本発明の画像形成装置の一例の要部を示す概略構成図である。
【発明を実施するための形態】
【００１３】
以下、本発明に係る読取レンズ、画像読取装置及び画像形成装置について図面を参照して説明する。なお、本発明は以下に示す実施例の実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１４】
本発明の読取レンズの一例を図１に示す。
図１に示されるように、本実施の読取レンズは、物体側から正の第１レンズＬ１からなる第１群、正の第２レンズＬ２と負の第３レンズＬ３とが接合されて負の屈折力を有する第２群、負の第４レンズＬ４からなる第３群、正の第５レンズＬ５からなる第４群、正の第６レンズＬ６と負の第７レンズＬ７とが接合されて正の屈折力を有する第５群が順に配置され、前記第２群と第３群との間に絞りを有する、５群７枚構成の読取レンズである。第１群の物体側にはコンタクトガラスＣＧ１が配置され、第５群の像側にはＣＣＤカバーガラスＣＧ２が配置されている。
【００１５】
また、図１に示されるように、第１レンズＬ１が物体側に凸面を向けて配置された凸メニスカスレンズ、第２レンズＬ２の第１面が物体側に凸面を有する正レンズ、第３レンズＬ３の第２面が物体側に凸面を有する負レンズ、第４レンズＬ４が物体側に凹面を向けて配置された凹メニスカスレンズ、第５レンズＬ５が像側に凸面を向けて配置された凸メニスカスレンズ、第６レンズＬ６の第２面が像側に凸面を有する正レンズ、第７レンズＬ７の第１面が像側に凸面を有する負レンズである。
【００１６】
なお、図１における符号の意味は下記の通りである。
ｒｉ（ｉ=１〜１３）  ：物体側から数えてｉ番目のレンズ面の曲率半径
ｄｉ（ｉ=１〜１２）  ：物体側から数えてｉ番目の面間隔
ｎｊ（ｊ=１〜７）    ：物体側から数えてｊ番目のレンズの材料の屈折率
νｊ（ｊ=１〜７）    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：ＣＣＤカバーガラスの物体側の曲率半径
ｒｃ４              ：ＣＣＤカバーガラスの像側の曲率半径
ｄｃ１              ：コンタクトガラスの肉厚
ｄｃ３              ：ＣＣＤカバーガラスの肉厚
ｎｃ１              ：コンタクトガラスの屈折率
ｎｃ３              ：ＣＣＤカバーガラスの屈折率
νｃ１              ：コンタクトガラスのアッベ数
νｃ３              ：ＣＣＤカバーガラスのアッベ数
【００１７】
本発明の読取レンズは、下記の条件式（１）及び（２）を満足することを特徴とする。
（１）      １．０＜ｆ５／ｆ＜２．０
（２）０．０９＜（ｒ７−ｒ８）／ｆ＜０．１５
（ただし、ｆ５は第５群のｅ線の焦点距離、ｆは全系のｅ線の合成焦点距離、ｒ７は第４レンズ第１面の曲率半径、ｒ８は第４レンズ第２面の曲率半径を表わす。）
条件式（１）は、第５群のパワーを定めるものであり、ｆ５は第５群のｅ線の焦点距離、ｆは全系のｅ線の合成焦点距離を表わす。ｆ５／ｆの値が上限を超えると第５群のパワーが弱くなりすぎ、レンズが大きくなってコストアップの原因となり、下限を超えるとレンズのコンパクト化には有利であるが、第５群のパワーが強くなりすぎて、高次の像面湾曲が発生する。
条件式（２）は、第４レンズを安定な形状に保つことにより、光学性能を保つ条件であり、ｒ７は第４レンズ第１面の曲率半径、ｒ８は第４レンズ第２面の曲率半径を表わす。（ｒ７−ｒ８）の値が上限を超えると、第４レンズのパワーが強くなりすぎ、光線を大きく跳ね上げるので色収差が発生し、下限を超えると、結像レンズの光軸に対して第４レンズの中心が出しにくくなり、光学性能を保つことができない。
【００１８】
以下、本発明の一実施の形態に係る読取レンズの諸収差及び具体的な数値データを示す。
以下の各実施態様における記号の意味は下記の通りである。
ｆ：全系のｅ線の合成焦点距離
ＦＮｏ：Ｆナンバ
ｍ：縮率
ω：半画角
Ｙ：物体高
ｎｄ：ｄ線の屈折率
νｄ：ｄ線のアッベ数
ｎｅ：ｅ線の屈折率
【００１９】
〔第１の実施態様〕
図２は、本発明の第１の実施態様に係るレンズの構成図を示したものである。以下に、レンズの構成表を示す。
【００２０】
【表１】
0005598295.tif 000002
【００２１】
図３は、図２に示したレンズ構成における収差図を示したものである。
なお、収差図において、ｅ線は５４６．０７ｎｍ、ｇ線は４３６．８３ｎｍ、ｃ線は６５６．２７ｎｍ、Ｆ線は４８６．１３ｎｍを示す。また、球面収差の図において、波線は正弦条件を示し、非点収差の図において、実線はサジタル光線、点線はメリディオナル光線を示す。
【００２２】
〔第２の実施態様〕
図４は、本発明の第２の実施態様に係るレンズの構成図を示したものである。以下に、レンズの構成表を示す。
【００２３】
【表２】
0005598295.tif 000003
【００２４】
図５は、図４に示したレンズ構成における収差図を示したものである。
なお、収差図において、ｅ線は５４６．０７ｎｍ、ｇ線は４３６．８３ｎｍ、ｃ線は６５６．２７ｎｍ、Ｆ線は４８６．１３ｎｍを示す。また、球面収差の図において、波線は正弦条件を示し、非点収差の図において、実線はサジタル光線、点線はメリディオナル光線を示す。
【００２５】
〔第３の実施態様〕
図６は、本発明の第３の実施態様に係るレンズの構成図を示したものである。以下に、レンズの構成表を示す。
【００２６】
【表３】
0005598295.tif 000004
【００２７】
図７は、図６に示したレンズ構成における収差図を示したものである。
なお、収差図において、ｅ線は５４６．０７ｎｍ、ｇ線は４３６．８３ｎｍ、ｃ線は６５６．２７ｎｍ、Ｆ線は４８６．１３ｎｍを示す。また、球面収差の図において、波線は正弦条件を示し、非点収差の図において、実線はサジタル光線、点線はメリディオナル光線を示す。
【００２８】
以下に、各実施態様における条件式の値を示す。
【００２９】
【表４】
0005598295.tif 000005
【００３０】
上記実施態様において、正レンズの少なくとも１枚が、下記の条件式（３）及び（４）を満足するガラス材料からなる。
（３）７５＜α１＜１３５
（４）−６．５＜β１＜０．５
ただし、α１は−３０℃〜＋７０℃での平均線膨張係数（単位は×１０−７／℃）、β１は＋２０℃〜＋４０℃での平均屈折率温度係数（単位は×１０−６／℃）を表わす。
【００３１】
条件式（３）及び（４）を満足するガラス材料としては、例えば、SFPL51(OHARA)、SPHM52(OHARA)、SLAM3(OHARA)等が挙げられる。
第１の実施態様においては第２レンズと第５レンズに、第２の実施態様においては第２レンズと第６レンズに、第３の実施態様においては第２レンズと第５レンズに条件式（３）及び（４）を満足するガラス材料を用いている。
【００３２】
条件式（３）及び（４）を満足するガラス材料を用いることにより、温度変化で熱膨張し移動する撮像面に対して、それをキャンセルする方向に像距離の伸び量を調整できるので、温度変化に対して常に安定な像を撮像面上で得ることができる。
正レンズの中で一番焦点距離の長い第２レンズを、条件式（３）及び（４）を満足するガラス材料からなるレンズとすることにより、温度変化に対する像距離の伸び量を大きくすることができる。
【００３３】
７枚のレンズは全てガラスレンズであり、該ガラスレンズのガラス材料が、鉛、砒素、及びこれらに類する有害物質を含有していないことが好ましい。全てのレンズを化学的に安定で鉛や砒素等の有害物質を含まない光学ガラスで構成することにより、材料のリサイクル化が可能であり、加工時の廃液による水質汚染の無い、地球環境を考慮した読取用レンズとすることができる。
【００３４】
図８に、本発明の画像読取装置の一例を示す。
本発明の画像読取装置は、原稿を照明する照明系と、前記照明系で照明された原稿の反射光を縮小結像させる結像レンズと、該結像レンズで結像された原稿像を光電変換するラインセンサとからなり、前記結像レンズとして、本発明の読取レンズを用いる。
【００３５】
図８において、読み取られるべき画像を有する原稿１２は「原稿台」としてのコンタクトガラス１１上に平面的に定置され、コンタクトガラス１１の下部にＸｅランプやＬＥＤ光源等を用いた照明手段を配置し、「図面に直交する方向に長いスリット状部分」を照明させる。原稿１２の照明された部分からの反射光（画像による反射光）は、第１走行体１３に設けられた第１ミラー１３Bにより反射された後、第２走行体１４に設けられた第２ミラー１４Ａ、第３ミラー１４Ｂにより順次反射され、画像読取レンズ１５を透過し、光電変換素子としてのラインセンサ１６の撮像面上に原稿画像の縮小像として結像する。
【００３６】
第１〜第３ミラー１３Ｂ、１４Ａ、１４Ｂは、「反射光学系」を構成する。
第１走行体１３、第２走行体１４は、図示されない駆動手段により、それぞれ矢印方向（図の右方）へ走行させられる。第１走行体１３の走行速度は「Ｖ」、第２走行体１４の走行速度は「Ｖ／２」である。この走行により、第１走行体１３、第２走行体１４は、それぞれ「破線で示す位置」まで変位する。照明ユニット１３Ａと第１ミラー１３Ｂは、第１走行体１３と一体的に移動し、コンタクトガラス１１上の原稿１２の全体を「照明走査」する。
【００３７】
第１走行体と第２走行体の移動速度比は、Ｖ：Ｖ／２であるので、照明走査される原稿部分から画像読取レンズに至る光路長は不変に保たれる。
「撮像部」であるラインセンサ１６は、色分解手段として赤（Ｒ）、緑（Ｇ）、青（Ｂ）のフィルタを持った光電変換素子（１６Ａ、１６Ｂ、１６Ｃ）を、１チップに３列に配列させた３ラインＣＣＤ（３ラインのラインセンサ）であり、原稿１２の照明走査に伴い、原稿画像を画像信号化する。
このようにして原稿１２の読取りが実行され、原稿１２のカラー画像は、赤、緑、青の３原色に色分解して読取られる。
【００３８】
また、本実施態様の画像読取装置は、画像をフルカラーで読み取る装置であって、画像読取レンズ１５の結像光路中に設けられた色分解手段（前記３ラインＣＣＤに設けられた赤、緑、青のフィルタ）を有する。
【００３９】
なお、画像読取装置の他の形態として、コンタクトガラス上の原稿をスリット状に照明する照明手段と、ラインセンサと、原稿の被照明部からラインセンサに至る結像光路を形成する複数のミラーと、上記結像光路上に配置される画像読取レンズとを相互に一体化した読取ユニットを、駆動手段により原稿に相対的に走行させることにより原稿を読取走査するようにした形態のものとすることもできる。
【００４０】
色分解の方法としては、上記の方法とは別に、画像読取レンズとラインセンサ（ＣＣＤ）との間に色分解プリズムやフィルタを選択的に挿入し、Ｒ（赤）、Ｇ（緑）、Ｂ（青）に色分解する方法や、Ｒ、Ｇ、Ｂの光源を順次点灯させ原稿を照明する方法などを用いることができる。
【００４１】
図９に、本発明の画像形成装置の一例を示す。
本発明の画像形成装置は、画像信号に対応する画像を書込んで画像を形成する画像形成装置であって、原稿画像を読取って画像信号化する手段として本発明の画像読取装置を有する。
【００４２】
図９に示すように、装置上部に位置する本発明の画像読取装置２０と、その下位に位置する「画像形成部」とを有する。画像読取装置２０は、図８で示したものと同様であり、各部には図８と同じ符号を付している。
【００４３】
画像読取装置２０の３ラインのラインセンサ（撮像手段）１６から出力される画像信号は、画像処理部１２０に送られ、画像処理部１２０において処理されて、書込み用の信号（イエロー・マゼンタ・シアン・黒の各色を書込むための信号）に変換される。
画像形成部は、潜像担持体として円筒状に形成された光導電性の感光体１１０を有し、その周囲に、帯電手段としての帯電ローラ１１１、リボルバ式の現像装置１１３、転写ベルト１１４、クリーニング装置１１５が配設されている。なお、帯電手段としては、図示した帯電ローラ１１１に代えて「コロナチャージャ」を用いることもできる。
【００４４】
信号処理部１２０から書込み用の信号を受けて、光走査により感光体１１０に書込みを行う光走査装置１１７は、帯電ローラ１１１と現像装置１１３との間において感光体１１０の光走査を行うようになっている。
画像形成部はさらに、定着装置１１６、カセット１１８、レジストローラ対１１９、給紙コロ１２２、トレイ１２１を備え、記録媒体としての転写紙Ｓに画像を形成する。
【００４５】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって、画像部が露光されている。
【００４６】
画像の書込みは、感光体１１０の回転に従い、イエロー画像、マゼンタ画像、シアン画像、黒画像の順に行われ、形成された静電潜像は、リボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化される。得られた各色トナー画像は、転写ベルト１１４上に、転写電圧印加ローラ１１４Ａにより順次転写され、上記各色トナー画像が転写ベルト１１４上で重ね合わせられてカラー画像となる。
【００４７】
転写紙Ｓを収納したカセット１１８は、画像形成装置本体に脱着可能であり、図９に示したように装着された状態において、収納された転写紙Ｓの最上位の１枚が給紙コロ１２２により給紙され、給紙された転写紙Ｓはその先端部をレジストローラ対１１９に捕えられる。
【００４８】
レジストローラ対１１９は、転写ベルト１１４上のトナーによるカラー画像が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００４９】
カラー画像を転写された転写紙Ｓは、定着装置１１６へ送られ、定着装置１１６においてカラー画像が定着されてガイド手段（図示せず）による搬送路を通り、排紙ローラ対（図示せず）によりトレイ１２１上に排出される。各色トナー画像が転写されるたびに、感光体１１０の表面はクリーニング装置１１５によりクリーニングされ、残留トナーや紙粉等が除去される。
【００５０】
なお、本発明にかかる画像形成装置は、感光体を各色に対応して複数配置した、いわゆるタンデム式の画像形成装置であってもよい。
【符号の説明】
【００５１】
Ｌ１    第１レンズ
Ｌ２    第２レンズ
Ｌ３    第３レンズ
Ｌ４    第４レンズ
Ｌ５    第５レンズ
Ｌ６    第６レンズ
ＣＧ１  コンタクトガラス
ＣＧ２  ＣＣＤカバーガラス
【先行技術文献】
【特許文献】
【００５２】
【特許文献１】特公昭３１−５１７８号公報
【特許文献２】特開２００５−３５１９７３号公報
【図１】
0005598295.tif 000006
【図２】
0005598295.tif 000007
【図３】
0005598295.tif 000008
【図４】
0005598295.tif 000009
【図５】
0005598295.tif 000010
【図６】
0005598295.tif 000011
【図７】
0005598295.tif 000012
【図８】
0005598295.tif 000013
【図９】
0005598295.tif 000014